(57)【特許請求の範囲】
【請求項１】
複数の表示ディスプレイを用いて単一の画像を拡大表示するマルチディスプレイ映像表示システムにおいて、
原画像のビデオ信号に基づいて拡大画像のための映像信号を生成する複数の映像信号生成部と、
前記映像信号生成部からの信号を受けて表示画像の明るさを制御した映像信号を出力する複数のモジュール部と、
前記モジュール部からの信号を入力して表示する前記複数の表示ディスプレイとを備え、
前記映像信号生成部は、前記原画像の平均輝度レベルを取得する原画像平均輝度レベル取得手段と、前記原画像の拡大表示に対応する拡大表示信号を生成する拡大表示信号生成部と、前記拡大表示信号に前記平均輝度レベルを重畳して重畳信号を出力する平均輝度重畳部とを備え、
前記モジュール部は、前記重畳信号から原画像平均輝度レベルを取得して出力する平均輝度デコード部と、前記重畳信号から前記拡大表示信号を取得して前記拡大表示信号の平均輝度を取得する平均輝度取得部と、前記平均輝度デコード部の出力と前記平均輝度取得部の出力のいずれかを選択して前記重畳信号の拡大表示信号の輝度を制御して表示ディスプレイに出力することを特徴とするマルチディスプレイ映像表示システム。
【発明の詳細な説明】
【０００１】
【発明の属する技術分野】
本発明は、複数の表示ディスプレイを用いて単一の画像を拡大表示するマルチディスプレイ映像表示システムに関し、とくに表示ディスプレイの明るさを適切かつ迅速に制御できるマルチディスプレイ映像表示システムに関する。
【０００２】
【従来の技術】
複数の表示ディスプレイを用いて大画面を構成し、その画面に単一の画像を拡大表示するシステムが知られている。一方、このようなシステムに適切なディスプレイとして、プラズマディスプレイパネルを用いたものがある。
【０００３】
プラズマディスプレイパネルでは、パネルの寿命や温度を管理するために平均輝度レベルに基づく表示の明るさを制御することが望ましく、上記システムにおいても大画面を構成する個々のプラズマディスプレイパネルにおける表示の明るさを制御することが望ましい。
【０００４】
複数のプラズマディスプレイパネルを組み合わせた上記システムにおいて、個々のパネルにおける表示の明るさを制御する技術として、例えば、特開平８−２０５０５６号公報、特開平９−４６６１８号公報および特開平１０−１２４００３号公報に開示されたものがある。これらの公報に開示された技術では、個々のプラズマディスプレイパネルに表示すべき映像の平均輝度レベルを取得し、この平均輝度レベルに基づいて各パネルにおける表示の明るさを制御するようにしている。
【０００５】
【発明が解決しようとする課題】
しかし、上記公報に開示された技術では、個々のパネルに表示すべき映像の平均輝度レベルに基づいて、各パネルにおける表示の明るさを制御しているため、各パネルの明るさのばらつきを抑制するために個々のパネルを駆動するための制御装置間における情報のやりとりが必要となる。このため、平均輝度レベルに応じて表示の明るさを迅速に制御することが困難になるという問題がある。
【０００６】
本発明は、各表示ディスプレイにおける表示の明るさを迅速に制御できるマルチディスプレイ映像表示システムを提供することを目的とする。
【０００７】
本発明のマルチディスプレイ映像表示システムは、複数の表示ディスプレイを用いて単一の画像を拡大表示するマルチディスプレイ映像表示システムにおいて、原画像のビデオ信号に基づいて拡大画像のための映像信号を生成する複数の映像信号生成部と、前記映像信号生成部からの信号を受けて表示画像の明るさを制御した映像信号を出力する複数のモジュール部と、前記モジュール部からの信号を入力して表示する前記複数の表示ディスプレイとを備え、前記映像信号生成部は、前記原画像の平均輝度レベルを取得する原画像平均輝度レベル取得手段と、前記原画像の拡大表示に対応する拡大表示信号を生成する拡大表示信号生成部と、前記拡大表示信号に前記平均輝度レベルを重畳して重畳信号を出力する平均輝度重畳部とを備え、前記モジュール部は、前記重畳信号から原画像平均輝度レベルを取得して出力する平均輝度デコード部と、前記重畳信号から前記拡大表示信号を取得して前記拡大表示信号の平均輝度を取得する平均輝度取得部と、前記平均輝度デコード部の出力と前記平均輝度取得部の出力のいずれかを選択して前記重畳信号の拡大表示信号の輝度を制御して表示ディスプレイに出力することを特徴とする。
また、本発明のマルチディスプレイ映像表示システムは、複数の表示ディスプレイを用いて単一の画像を拡大表示するマルチディスプレイ映像表示システムにおいて、原画像の映像信号から原画像の平均輝度レベルを取得する原画像平均輝度レベル取得手段（１１）と、原画像の映像信号を受けて原画像の拡大表示に対応する拡大表示信号を生成する拡大表示信号生成部（１２）と、拡大表示信号を受けて原画像を拡大表示する複数の表示ディスプレイ（３０）と、原画像平均輝度レベル取得手段（１１）により取得された原画像の平均輝度レベルに基づいて表示ディスプレイ（３０）における表示の明るさを制御する制御手段（２４）と、を備えることを特徴とする。
【０００８】
このマルチディスプレイ映像表示システムによれば、画像を拡大する前の原画像の映像信号に基づいて平均輝度レベルを取得し、この平均輝度レベルに基づいて表示ディスプレイの明るさを制御するので、表示ディスプレイ間における情報のやりとりをしなくても、各表示ディスプレイにおける表示の明るさのばらつきを防止することができ、しかも取得された平均輝度レベルを表示画像の明るさ制御に迅速に反映させることができる。
【０００９】
原画像平均輝度レベル取得手段（１１）により取得された原画像の平均輝度レベルを拡大表示信号生成部（１２）により生成された拡大表示信号に重畳する重畳手段（１３）を備え、制御手段（２４）は、拡大表示信号に重畳された平均輝度レベルに基づいて表示ディスプレイ（３０）における表示の明るさを制御してもよい。
【００１０】
この場合には、拡大表示信号に重畳された平均輝度レベルに基づいて表示ディスプレイにおける表示の明るさを制御するので、拡大表示信号を伝送するライン等を利用して平均輝度レベルを送ることができる。このため、平均輝度レベルを伝送するための特別のケーブル等を用いる必要がない。
【００１１】
平均輝度レベル取得手段（１１）および拡大表示信号生成部（１２）を複数の表示ディスプレイ（３０）に対して共通に用いてもよい。この場合には、コンパクトなシステムを得ることができる。
【００１２】
表示ディスプレイ（３０）としてプラズマディスプレイパネルを用いてもよい。この場合には、プラズマディスプレイにおける表示の明るさを迅速に制御することにより、プラズマディスプレイの寿命等を適切に管理できる。
【００１３】
なお、本発明の理解を容易にするために添付図面の参照符号を括弧書きにて付記するが、それにより本発明が図示の形態に限定されるものではない。
【００１４】
【発明の実施の形態】
以下、図１を参照して、本発明によるマルチディスプレイ映像表示システムの一実施形態について説明する。図１は本実施形態のマルチディスプレイ映像表示システムを示すブロック図である。
【００１５】
図１に示すように、本実施形態のマルチディスプレイ映像表示システム１００は、原画像のビデオ信号に基づいて拡大画像のための映像信号を生成する４台の映像信号生成部１０と、対応する映像信号生成部１０の出力信号を受ける４台のモジュール部２０と、各モジュール部２０によりそれぞれ制御される４台のプラズマディスプレイパネル表示装置３０とを備える。各映像信号生成部１０および各モジュール部２０と対応するプラズマディスプレイ表示装置３０とは一体の筐体内に収納されてもよいし、映像信号生成部１０およびモジュール２０と、プラズマディスプレイ表示装置３０とを互いに分離して設けてもよい。
【００１６】
映像信号生成部１０は、入力されたビデオ信号の平均輝度レベル（ＡＰＬ）をリアルタイムに取得する平均輝度取得部１１と、入力されたビデオ信号に基づいて拡大画像のための映像信号を生成する画像拡大部１２と、画像拡大部１２から出力される映像信号に平均輝度取得部１１で取得された平均輝度レベルを重畳する平均輝度重畳部１３とを備える。
【００１７】
モジュール部２０は、映像信号生成部１０から出力される映像信号から平均輝度レベルを抽出、復号する平均輝度デコード部２１と、映像信号生成部１０から出力される映像信号の平均輝度レベルを取得する平均輝度取得部２２と、平均輝度デコード部２１の出力信号および平均輝度取得部２２の出力信号のうちの１つを選択するスイッチ部２３と、プラズマディスプレイパネル表示装置３０のパネルの駆動を制御するパネル駆動制御部２４とを備える。
【００１８】
なお、パネル駆動制御部２４には各モジュール部２０に対応する拡大画像（各モジュール２０に接続されたプラズマディスプレイパネル表示装置３０に表示される拡大画像）の表示領域（拡大画像における右上、右下、左上および左下の４領域のいずれか）を示すデータが与えられており、パネル駆動制御部２４から該当する表示領域の映像信号が出力される。このデータを参照することにより、各モジュール部２０のパネル駆動制御部２４からは、対応する表示領域の信号が出力され、各プラズマディスプレイパネル表示装置３０に入力される。これにより、互いに隣接して配置されたそれぞれのプラズマディスプレイパネルには、対応する表示領域の画像が表示され、全体として原画像を拡大した拡大画像が表示されることとなる。
【００１９】
次に、本実施形態のマルチディスプレイ映像表示システム１００の動作について説明する。
【００２０】
図１に示すように、映像信号生成部１０に入力されるビデオ信号（ＲＧＢ信号）は、平均輝度取得部１１および画像拡大部１２に与えられる。また、ビデオ信号から抽出された垂直同期信号は平均輝度取得部１１および画像拡大部１２において用いられる。
【００２１】
平均輝度取得部１１では、入力されたビデオ信号の平均輝度レベルをリアルタイムで取得する。一方、画像拡大部１２では、原画像のビデオ信号に基づき、原画像を拡大した拡大画像の映像信号を生成する。
【００２２】
平均輝度重畳部１３では、画像拡大部１２から出力される垂直同期信号に基づき、画像拡大部１２から出力される拡大画像の映像信号に対し、平均輝度取得部１１から出力された輝度データを重畳する。拡大画像と輝度データとが互いに重畳された重畳信号および画像拡大部１２から出力される垂直同期信号は、それぞれ各モジュール部２０に入力される。
【００２３】
各モジュール部２０では、平均輝度重畳部１３から出力された重畳信号は平均輝度デコード部２１、平均輝度取得部２２およびパネル駆動制御部２４に、それぞれ与えられる。
【００２４】
平均輝度デコード部２１では、重畳信号に含まれる輝度データを抽出するとともに復号し、輝度データとして出力する。一方、平均輝度取得部２２は、重畳信号に含まれる拡大画像の映像信号の平均輝度レベルを取得し、輝度データとして出力する。スイッチ部２３は自動的にあるいは手動により平均輝度デコード部２１または平均輝度取得部２２から出力される輝度データを選択する。マルチディスプレイ映像表示を実行する場合、すなわち本発明によるマルチディスプレイ映像表示システムとしてシステム１００を機能させる場合には、スイッチ部２３により平均輝度デコード部２１から出力される輝度データが選択される。以下、スイッチ部２３により平均輝度デコード部２１からの輝度データが選択されている場合について説明する。なお、スイッチ部２３を平均輝度取得部２２の側に切り替えることにより、１台の表示装置に映像を表示させる通常の表示形態をとる場合等にモジュール部２０を使用することが可能となる。
【００２５】
パネル制御部２４では、プラズマディスプレイパネル表示装置３０における表示画像の明るさを入力される輝度データに応じて制御する。パネル制御部２４では、サステインパルス（発光維持パルス）の数を制御することによりプラズマディスプレイ表示装置３０における表示画面の明るさを制御している。輝度データが示す平均輝度レベルが高い場合には、サステインパルスの数を減らすことにより、表示画面の明るさを抑制することができる。例えば、消費電力が所定値以下に収まるように、１画面を構成する映像信号の平均輝度レベルに応じて１画面を表示するのに用いる総サステインパルス数を制御する。
【００２６】
以上のように、本実施形態のマルチディスプレイ映像表示システム１００では、画像を拡大する前の映像信号に基づいて平均輝度レベルを取得し、このデータを用いて各モジュール２０において拡大画像の映像信号のレベルを制御するようにしている。このため、モジュール２０間における情報のやりとりをしなくても、各ディスプレイにおける表示の明るさのばらつきを防止することができ、しかも取得された平均輝度レベルを表示画像の明るさ制御に迅速に反映させることができる。このため、拡大画像の表示品質を向上させることができる。
【００２７】
また、本実施形態のマルチディスプレイ映像表示システム１００では、映像信号生成部１０において平均輝度レベルを拡大画像の映像信号に重畳して出力し、モジュール部２０において平均輝度レベルを抽出するようにしている。このため、輝度データを転送するための特別のケーブル等を用いる必要がない。
【００２８】
【発明の効果】
本発明のマルチディスプレイ映像表示システムによれば、画像を拡大する前の原画像の映像信号に基づいて平均輝度レベルを取得し、この平均輝度レベルに基づいて表示ディスプレイの明るさを制御するので、表示ディスプレイ間における情報のやりとりをしなくても、各表示ディスプレイにおける表示の明るさのばらつきを防止することができ、しかも取得された平均輝度レベルを表示画像の明るさ制御に迅速に反映させることができる。
【００２９】
上記実施形態では、プラズマディスプレイパネルを用いたシステムについて説明したが、本発明は他のディスプレイを用いたシステムにも適用できる。また、ディスプレイの数は任意に選択できる。
【図面の簡単な説明】
【図１】図１は本実施形態のマルチディスプレイ映像表示システムを示すブロック図。
【符号の説明】
１１    平均輝度取得部（原画像平均輝度レベル取得手段）
１２    画像拡大部（拡大表示信号生成部）
２４    パネル駆動制御部（制御手段）
３０    プラズマディスプレイパネル表示装置（表示ディスプレイ）
【図１】
0004820501.tif 000002